(57)【要約】【課題】物品の収納性や封緘性に影響を与えることなく、バンドの食い込みによる稜部の破損を確実に防止できるようにする。【解決手段】基本折目線６を介して連設された２方向の壁面板１，４がなす稜部に、エッジ切れ防止加工部１０を設け、物流用のバンドＢを、エッジ切れ防止加工部１０に沿うように巻き掛けて締め付ける段ボール箱において、前記エッジ切れ防止加工部１０として、前記稜部には、基本折目線６を挟んで、その一方に段潰部分１１を形成し、他方に離間折目線１２を入れ、この離間折目線１２は、中間部が基本折目線６から離れ、両端部が基本折目線６に至る方向へ向かうものとする。バンドＢに張力が作用して稜部が締め付けられたとき、段潰部分１１と離間折目線１２とに弱められた稜部の段ボールが二重に折れて傾斜面が生じ、巻き締まり強度が向上し、バンドＢの段ボールへの食い込みが抑制される。【選択図】図３
2015009815.tif 000002
【特許請求の範囲】
【請求項１】
基本折目線(6)を介して連設された２方向の壁面板がなす稜部に、エッジ切れ防止加工部(10)を設け、物流用のバンド(B)を、エッジ切れ防止加工部(10)に沿うように巻き掛けて締め付ける段ボール箱において、
前記エッジ切れ防止加工部(10)として、前記稜部には、基本折目線(6)を挟んで、その一方に段潰部分(11)を形成し、他方に離間折目線(12)を入れ、この離間折目線(12)は、中間部が基本折目線(6)から離れ、両端部が基本折目線(6)に至る方向へ向かうものとしたことを特徴とするバンド掛け段ボール箱。
【請求項２】
前記エッジ切れ防止加工部(10)の離間折目線(12)に代えて、基本折目線(6)の他方にも段潰部分(11)を形成したことを特徴とする請求項１に記載のバンド掛け段ボール箱。
【請求項３】
前記段潰部分(11)を円弧状、長方形状又は半俵型状としたことを特徴とする請求項１又は２に記載のバンド掛け段ボール箱。
【発明の詳細な説明】
【技術分野】
【０００１】
この発明は、物流時にバンド掛けされる段ボール箱であって、バンドの食い込みによる稜部の破損（エッジ切れ）を防止する構造を備えたものに関する。
【背景技術】
【０００２】
例えば、食用油や穀類、紙製品等の各種物品の輸送に際しては、これらの物品を段ボール箱に収納し、封緘性や取扱性を向上させるため、段ボール箱の底面、両側面及び天面にポリプロピレン製のバンド（いわゆるＰＰバンド）を巻き掛けて締め付ける。
【０００３】
このようにバンド掛けを行うと、結束機によるバンドの巻掛け作業時や、物流過程においてバンドが引っ張られた際、図７に示すように、段ボール箱の側面をなす側面板５１と天面又は底面をなす平面板５２の稜部にバンドＢの端縁が食い込んで、段ボールが切れる破損が発生し、流通業者や卸業者に受け取りを拒否される場合がある。
【０００４】
そのような事態の防止対策を施した段ボール箱として、下記特許文献１には、図８に示すようなものが記載されている。
【０００５】
この段ボール箱は、側面板６１，６２を連設して角筒状の周壁を形成し、側面板６１の下端及び上端に稜部の基本折目線６３を介して平面板６４を連設し、側面板６１から平面板６４を基本折目線６３に沿って折り曲げることにより、底面及び天面を形成する溝切型（いわゆるＡ式）のものであり、物流に際し、底面、両側面及び天面に間隔をおいて２本のバンドＢが巻き掛けられる。
【０００６】
そして、図９に示すように、側面板６１と平面板６４の稜部に、バンドＢが巻き掛けられる部分に対応して基本折目線６３を入れない部分を設け、この部分において、基本折目線６３から二股状に分かれ、側面板６１及び平面板６４にそれぞれ湾入する円弧状の離間折目線６５を入れることにより、側面板６１からの平面板６４の折り曲げに伴い、離間折目線６５に挟まれた部分に凹陥面が形成されるようになっている。
【０００７】
このような段ボール箱では、物品を梱包する際、離間折目線６５に挟まれた部分にバンドＢを沿わせると、バンドＢが接触する部分における段ボールの折曲角度が鈍角となるので、バンドＢが段ボールの稜部に対し食い込みにくくなる。すなわち、離間折目線６５に挟まれた部分がエッジ切れ防止加工部として機能することを意図している。
【先行技術文献】
【特許文献】
【０００８】
【特許文献１】実開昭５９−３８２２４号公報
【発明の概要】
【発明が解決しようとする課題】
【０００９】
しかしながら、上記のような段ボール箱では、段ボールの稜部に対するバンドＢの食い込み防止効果を向上させるため、離間折目線６５の離間距離を大きく設定すると、稜部内面に凸状部が生じ、物品の収納空間が制限されることがあるほか、側面板６１から平面板６４を折り曲げる際、反発が大きくなり、封緘作業に支障が生じるおそれもある。
【００１０】
また、バンドＢを巻き掛ける位置のずれを許容するため、離間折目線６５に挟まれた部分を稜部の長さ方向に大きく設定しても、同様の問題が生じる。
【００１１】
そこで、この発明は、物品の収納性や封緘性に影響を与えることなく、バンドの食い込みによる稜部の破損を確実に防止できるようにすることを課題とする。
【課題を解決するための手段】
【００１２】
上記課題を解決するため、この発明は、基本折目線を介して連設された２方向の壁面板がなす稜部に、エッジ切れ防止加工部を設け、物流用のバンドを、エッジ切れ防止加工部に沿うように巻き掛けて締め付ける段ボール箱において、前記エッジ切れ防止加工部として、前記稜部には、基本折目線を挟んで、その一方に段潰部分を形成し、他方に離間折目線を入れ、この離間折目線は、中間部が基本折目線から離れ、両端部が基本折目線に至る方向へ向かうものとしたのである。
【００１３】
また、前記エッジ切れ防止加工部の離間折目線に代えて、基本折目線の他方にも段潰部分を形成したのである。
【００１４】
さらに、前記段潰部分を円弧状、長方形状又は半俵型状としたのである。
【発明の効果】
【００１５】
この発明に係る段ボール箱では、組み立てて物品を梱包する際、エッジ切れ防止加工部においても、壁面板が稜部の基本折目線に沿って折れ曲がるので、稜部内面に物品の収納性を損なうような凸状部が生じることがなく、壁面板の折曲抵抗が増大して封緘性に影響を与えることもない。
【００１６】
そして、バンドに張力が作用して稜部が締め付けられたとき、基本折目線を挟む一方の段潰部分と他方の離間折目線又は段潰部分とに弱められた稜部の段ボールが二重に折れて傾斜面が生じ、巻き締まり強度が向上すると共に、バンドの段ボールへの食い込みが抑制されて、稜部で段ボールが切れる破損が防止される。
【図面の簡単な説明】
【００１７】
【図１】この発明に係るバンド掛け段ボール箱のブランクを示す図
【図２】同上の組立状態を示す斜視図
【図３】同上のバンド掛け状態を示す斜視図
【図４】同上の図３におけるIV−IV拡大断面図
【図５】同上の他の実施形態のブランクを示す図
【図６】同上のエッジ切れ防止加工部において（ａ）一方の段潰部分が長方形となったもの、（ｂ）両方が円弧状の段潰部分となったもの、（ｃ）両方が半俵型状の段潰部分となったものをそれぞれ示す拡大図
【図７】通常の段ボール箱のバンドによる稜部破損状況を示す拡大斜視図
【図８】従来のバンド掛け段ボール箱のバンド掛け状態を示す斜視図
【図９】同上のエッジ切れ防止加工部を示す拡大斜視図
【発明を実施するための形態】
【００１８】
以下、この発明の実施形態を添付図面に基づいて説明する。
【００１９】
図１にブランク状態で示すように、この段ボール箱は、各一対の長面及び幅面の側面板１，２を交互に連設し、一方の側面板１の外側端に継代片３を連設し、側面板１，２の上下端にそれぞれ平面板４，５を連設した溝切型のものであり、側面板１と平面板４の境界をなす基本折目線６は、段ボール製造時にコルゲーターで入れた押罫線とされている。
【００２０】
側面板１，２及び継代片３の下部には、開封用の切裂帯７としてカットテープが裏面に貼り付けられ、その摘み部８が側面板２にＨ字状の切込により形成されている。
【００２１】
側面板１とその上端及び下端に繋がる平面板４の稜部には、横方向に間隔をおいてそれぞれ２箇所に、エッジ切れ防止加工部１０が設けられている。エッジ切れ防止加工部１０は、基本折目線６を挟んで、側面板１に段潰部分１１を形成し、平面板４に離間折目線１２を入れたものとされている。
【００２２】
段潰部分１１は、段ボールを幅のある円弧状に圧縮し、中芯の波形状を潰れるように変形させて、厚さを減少させる加工により形成される。段潰部分１１の両端部は、基本折目線６に接している。
【００２３】
また、離間折目線１２は、段ボールを裏面側から線状に押圧した押罫であって、中間部が基本折目線６に対し間隔をおいて平行する直線とされ、両端部が湾曲して基本折目線６に至り、基本折目線６と離間折目線１２とで囲まれた部分が米俵を長さ方向に半割りした形状に近似する半俵型状を呈している。
【００２４】
このようなブランクを組み立てて物品を梱包する際には、図２に示すように、各一対の側面板１，２を折り曲げ、継代片３を反対側の側面板２に貼り付けて角筒状の周壁を形成し、下方の平面板５，４を順次折り重ねて、閉止された底面を形成し、物品を箱内に収納した後、上方の平面板５，４を順次折り重ねて、閉止された天面を形成する。
【００２５】
このように組み立てた段ボール箱では、エッジ切れ防止加工部１０においても、側面板１と平面板４とが基本折目線６に沿って折れ曲がるので、稜部内面に凸状部が生じて物品の収納空間が制限されるようなことがなく、側面板１に対する平面板４の折曲抵抗が増大して封緘作業の負荷が増大したり、封緘が不完全となったりすることもない。
【００２６】
そして、上記段ボール箱を運搬する際には、図３に示すように、物流用のポリプロピレン製のバンドＢを、結束機を用いて段ボール箱の底面、両側面及び天面に巻き掛けて締め付け、その両端部を溶融させて固定する。このとき、２本のバンドＢがそれぞれ側面板１と平面板４の稜部両側のエッジ切れ防止加工部１０に沿うようにする。
【００２７】
このようにバンドＢを掛けると、結束機でのバンドＢの締付時や流通過程での荷扱い時に、バンドＢに張力が作用して稜部が締め付けられたとき、図４に示すように、基本折目線６を挟む一方の段潰部分１１と他方の離間折目線１２とに弱められた稜部の段ボールが二重に折れて傾斜面が生じ、巻き締まり強度が向上すると共に、バンドＢの段ボールへの食い込みが抑制されて、稜部で段ボールが切れる破損が防止される。
【００２８】
なお、上記実施形態では、全てのエッジ切れ防止加工部１０において、側面板１に段潰部分１１を形成し、平面板４に離間折目線１２を入れたものを例示したが、図５に示す実施形態のように、上部のエッジ切れ防止加工部１０において、側面板１に離間折目線１２を入れ、平面板４に段潰部分１１を形成してもよい。
【００２９】
また、図示省略するが、上部のエッジ切れ防止加工部１０の態様にかかわらず、下部のエッジ切れ防止加工部１０において、側面板１に離間折目線１２を入れ、平面板４に段潰部分１１を形成してもよい。
【００３０】
また、上記実施形態では、段潰部分１１が円弧状のものを例示したが、図６（ａ）に示すように、段潰部分１１は、長方形状としてもよい。
【００３１】
さらに、基本折目線６を挟んで、その一方に段潰部分１１を形成し、他方に離間折目線１２を入れたものを例示したが、図６（ｂ）に示すように、基本折目線６を挟んで、その両方に段潰部分１１を形成してもよい。
【００３２】
この場合において、段潰部分１１の形状は、円弧状のほか、図６（ｃ）に示すように、一対の半俵型状のものが基本折目線６を介して接し、全体として俵型状を呈するものとしてもよい。また、各段潰部分１１を、長方形状としてもよい。
【００３３】
そのほか、図１や図５に示すように、基本折目線６を挟んで、一方に段潰部分１１を形成し、他方に離間切目線１２を入れたエッジ切れ防止加工部１０において、段潰部分１１の形状を、半俵型状としてもよい。
【００３４】
また、離間折目線１２として、中間部が基本折目線６に対し間隔をおいて平行する直線とされ、両端部が湾曲して基本折目線６に至り当接するものを例示したが、離間折目線１２は、中間部から両端部へかけて連続的に湾曲した円弧状であってもよく、両端部が基本折目線６から若干離れていてもよい。
【００３５】
また、段ボール箱として、溝切型のものを例示したが、ラップラウンド形式の段ボール箱や、トレイ状の段ボール箱においても、稜部に同様のエッジ切れ防止加工部１０を設けて、バンドＢの食い込みによる稜部の破損を防止することができる。
【００３６】
また、バンドＢを、段ボール箱の底面、両側面及び天面に巻き掛けるものについて例示したが、各一対の側面板１，２から成る周壁に巻き掛ける場合には、側面板１，２の稜部に同様のエッジ切れ防止加工部１０を設けて、バンドＢの食い込みによる稜部の破損を防止するとよい。
【００３７】
さらに、バンドＢとして、ポリプロピレン製のものを掛ける場合について例示したが、バンドＢは、ナイロン紐や麻紐等の紐状部材であってもよく、その場合においても、紐状のバンドＢの食い込みによる稜部の破損を防止することができる。
【符号の説明】
【００３８】
１，２  側面板（壁面板）
３  継代片
４，５  平面板（壁面板）
６  基本折目線
７  切裂帯
８  摘み部
１０  エッジ切れ防止加工部
１１  段潰部分
１２  離間折目線
Ｂ  バンド
【図１】
2015009815.tif 000003
【図２】
2015009815.tif 000004
【図３】
2015009815.tif 000005
【図４】
2015009815.tif 000006
【図５】
2015009815.tif 000007
【図６】
2015009815.tif 000008
【図７】
2015009815.tif 000009
【図８】
2015009815.tif 000010
【図９】
2015009815.tif 000011